(57)【要約】      （修正有）【課題】バーコードが新規の配列で付されたプレススルーパックシートを提供すること。【解決手段】プレススルーパックシート１００は、基材シート１２０とカバーシート１１０を備える。カバーシート１１０は基材シート１２０上に位置し、製剤１４０をそれぞれ一つ収容可能な凹部１１６を複数有する。カバーシート１１０は、マトリクスの行方向に平行に延伸する第１から第（ｎ−１）のスリット１１２−１〜１１２−（ｎ−１）をこの順で備える。第１から第（ｎ−１）のスリット１１２−１〜１１２−（ｎ−１）は、カバーシート１１０をそれぞれ二つ以上の製剤を収容する第１から第ｎのサブパッケージ１０２−１〜１０２−５に分割するように配置される。基材シート１２０には、千鳥配列され、それぞれマトリクスの列方向に延伸する複数のバーを備える第１から第（ｎ＋１）のバーコード１３０−１〜１３０−（ｎ＋１）がこの順で付される。【選択図】図１
0003229831.tif 000002
【実用新案登録請求の範囲】
【請求項１】
複数の製剤をｎ行２列以上のマトリクスに配置して包装するためのプレススルーパックシートであり、
前記プレススルーパックシートは、
基材シート、
前記基材シート上に位置し、前記製剤をそれぞれ一つ収容可能な凹部を複数有するカバーシートを備え、
前記カバーシートは、前記マトリクスの行方向に平行に延伸する第１から第（ｎ−１）のスリットをこの順で備え、
前記第１から第（ｎ−１）のスリットは、前記カバーシートをそれぞれ二つ以上の前記製剤を収容する第１から第ｎのサブパッケージに分割するように配置され、
前記基材シートには、千鳥配列され、それぞれ前記マトリクスの列方向に延伸する複数のバーを備える第１から第（ｎ＋１）のバーコードがこの順で付され、
前記第２から第ｎのバーコードは、それぞれ前記第１から第（ｎ−１）のスリットと重なり、
ｎは１よりも大きい自然数の一つである、
プレススルーパックシート。
【請求項２】
前記第１から第（ｎ＋１）のバーコードから選択される第ｍのバーコードと第（ｍ＋１）のバーコードにおいて、前記第ｍのバーコードの前記第（ｍ＋１）のバーコードに最も近い末端バーから、前記第（ｍ＋１）のバーコードの前記第ｍのバーコードに最も近い末端バーまでの距離は、前記行方向において０ｍｍ以上１．２５ｍｍ未満であり、
ｍは１以上（ｎ＋１）よりも小さい自然数から選択される変数である、請求項１に記載のプレススルーパックシート。
【請求項３】
前記第１から第（ｎ＋１）のバーコードから選択される第ｍのバーコードと第（ｍ＋１）のバーコードにおいて、前記第ｍのバーコードは、行方向において、前記第（ｍ＋１）のバーコードと重ならなず、
ｍは１以上（ｎ＋１）よりも小さい自然数から選択される変数である、請求項１に記載のプレススルーパックシート。
【請求項４】
前記第１から第（ｎ＋１）のバーコードから選択される第ｍのバーコードと第（ｍ＋１）のバーコードにおいて、前記第ｍのバーコードの前記第（ｍ＋１）のバーコードに最も近い末端バーの前記第（ｍ＋１）のバーコード側の辺、および前記第（ｍ＋１）のバーコードの前記第ｍのバーコードに最も近い末端バーの前記第ｍのバーコード側の辺は、いずれも前記列方向に平行な仮想直線上に配置され、
ｍは１以上（ｎ＋１）よりも小さい自然数から選択される変数である、請求項１に記載のプレススルーパックシート。
【請求項５】
前記第１から第（ｎ＋１）のバーコードから選択される第ｍのバーコードと第（ｍ＋１）のバーコードの情報配列方向は互いに同一であり、
ｍは１以上（ｎ＋１）よりも小さい自然数から選択される変数である、請求項１に記載のプレススルーパックシート。
【請求項６】
前記第１から第（ｎ＋１）のバーコードから選択される第ｍのバーコードと第（ｍ＋１）のバーコードの情報配列方向は互いに逆であり、
ｍは１以上（ｎ＋１）よりも小さい自然数から選択される変数である、請求項１に記載のプレススルーパックシート。
【請求項７】
複数の製剤をｎ行２列以上のマトリクスに配置して包装するためのプレススルーパックシートであり、
前記プレススルーパックシートは、
基材シート、
前記基材シート上に位置し、前記製剤をそれぞれ一つ収容可能な凹部を複数有するカバーシートを備え、
前記カバーシートは、前記マトリクスの行方向に平行に延伸する第１から第（ｎ−１）のスリットをこの順で備え、
前記第１から第（ｎ−１）のスリットは、前記カバーシートをそれぞれ二つ以上の前記製剤を収容する第１から第ｎのサブパッケージに分割するように配置され、
前記基材シートには、千鳥配列され、それぞれ前記マトリクスの列方向に延伸する複数のバーを備える第１から第２ｎのバーコードがこの順で付され、
前記第１から第２ｎのバーコードは、前記第１から第ｎのサブパッケージの各々が前記第１から第２ｎのバーコードのうち二つの全体を含むように付され、
ｎは１よりも大きい自然数の一つである、
プレススルーパックシート。
【請求項８】
前記第１から第（ｎ＋１）のバーコードから選択される第ｍのバーコードと第（ｍ＋１）のバーコードにおいて、前記第ｍのバーコードの前記第（ｍ＋１）のバーコードに最も近い末端バーから、前記第（ｍ＋１）のバーコードの前記第ｍのバーコードに最も近い末端バーまでの距離は、前記行方向において０ｍｍ以上１．２５ｍｍ未満であり、
ｍは１以上（ｎ＋１）よりも小さい自然数から選択される変数である、請求項７に記載のプレススルーパックシート。
【請求項９】
前記第１から第２ｎのバーコードから選択される第ｍのバーコードと第（ｍ＋１）のバーコードにおいて、前記第ｍのバーコードは、行方向において、前記第（ｍ＋１）のバーコードと重ならず、
ｍは１以上（ｎ＋１）よりも小さい自然数から選択される変数である、請求項７に記載のプレススルーパックシート。
【請求項１０】
前記第１から第２ｎのバーコードは、いずれも前記第１から第（ｎ−１）のスリットのいずれにも重ならない、請求項７に記載のプレススルーパックシート。
【請求項１１】
前記第１から第２ｎのバーコードのバーの長さは互いに同一である、請求項７に記載のプレススルーパックシート。
【請求項１２】
前記第１から第２ｎのバーコードから選択される第ｍのバーコードと第（ｍ＋１）のバーコードにおいて、前記第ｍのバーコードの前記第（ｍ＋１）のバーコードに最も近い末端バーの前記第（ｍ＋１）のバーコード側の辺、および前記第（ｍ＋１）のバーコードの前記第ｍのバーコードに最も近い末端バーの前記第ｍのバーコード側の辺は、いずれも前記列方向に平行な仮想直線上に配置され、
ｍは１以上（ｎ＋１）よりも小さい自然数から選択される変数である、請求項７に記載のプレススルーパックシート。
【請求項１３】
前記第１から第２ｎのバーコードから選択される第ｍのバーコードと第（ｍ＋１）のバーコードの情報配列方向は互いに同一であり、
ｍは１以上（ｎ＋１）よりも小さい自然数から選択される変数である、請求項７に記載のプレススルーパックシート。
【請求項１４】
前記第１から第２ｎのバーコードから選択される第ｍのバーコードと第（ｍ＋１）のバーコードの情報配列方向は互いに逆であり、
ｍは１以上（ｎ＋１）よりも小さい自然数から選択される変数である、請求項７に記載のプレススルーパックシート。
【考案の詳細な説明】
【技術分野】
【０００１】
本考案の実施形態の一つは、包装シートに関する。例えば、本考案の実施形態の一つは、錠剤やカプセル剤などの製剤をプレススルーパック方式で包装するための包装シートに関する。
【背景技術】
【０００２】
錠剤やカプセル剤などの製剤を一つずつ包装する方式として、プレススルーパック（ＰＴＰ）方式が広く用いられている。この方式では、製剤を収容する複数の凹部が形成された透明なカバーシートと、凹部を密封するようにカバーシートに貼り付けられる基材シートとで構成されるＰＴＰ包装シート（以下、ＰＴＰシートとも記す）が用いられる。ＰＴＰシートの裏面、すなわち、基材シートのカバーシートに対して反対の面上には、商品コードや有効期限、製造番号などの情報を含むバーコードを付すことが求められている。バーコードを付すことにより、製剤の管理が容易になるだけでなく、製剤の取り違え事故の防止やトレーサビリティの向上のための有効な対策を打つことができる。
【考案の概要】
【考案が解決しようとする課題】
【０００３】
本考案に係る実施形態の一つは、バーコードが新規の配列で付されたＰＴＰシートを提供することを課題の一つとする。あるいは、本考案に係る実施形態の一つは、複数の製剤が包装されたＰＴＰシートを個々の製剤に分割しても、それぞれの包装において読み取り可能なバーコードが付されたＰＴＰシートを提供することを課題の一つとする。
【課題を解決するための手段】
【０００４】
本考案に係る実施形態の一つは、複数の製剤をｎ行２列以上のマトリクスに配置して包装するためのプレススルーパックシートである。このプレススルーパックシートは、基材シートとカバーシートを備える。カバーシートは基材シート上に位置し、製剤をそれぞれ一つ収容可能な凹部を複数有する。カバーシートは、上記マトリクスの行方向に平行に延伸する第１から第（ｎ−１）のスリットをこの順で備える。第１から第（ｎ−１）のスリットは、カバーシートをそれぞれ二つ以上の製剤を収容する第１から第ｎのサブパッケージに分割するように配置される。基材シートには、千鳥配列され、それぞれマトリクスの列方向に延伸する複数のバーを備える第１から第（ｎ＋１）のバーコードがこの順で付される。第２から第ｎのバーコードは、それぞれ第１から第（ｎ−１）のスリットと重なる。ｎは１よりも大きい自然数の一つである。
【０００５】
本考案に係る実施形態の一つは、複数の製剤をｎ行２列以上のマトリクスに配置して包装するためのプレススルーパックシートである。このプレススルーパックシートは、基材シートとカバーシートを備える。カバーシートは、基材シート上に位置し、製剤をそれぞれ一つ収容可能な凹部を複数有する。カバーシートは、上記マトリクスの行方向に平行に延伸する第１から第（ｎ−１）のスリットをこの順で備える。第１から第（ｎ−１）のスリットは、カバーシートをそれぞれ二つ以上の製剤を収容する第１から第ｎのサブパッケージに分割するように配置される。基材シートには、千鳥配列され、それぞれマトリクスの列方向に延伸する複数のバーを備える第１から第２ｎのバーコードがこの順で付される。第１から第２ｎのバーコードは、第１から第ｎのサブパッケージの各々が第１から第２ｎのバーコードのうち二つの全体を含むように付される。ｎは１よりも大きい自然数の一つである。
【図面の簡単な説明】
【０００６】
【図１】本考案の実施形態の一つに係るＰＴＰシートの模式的上面図と背面図。
【図２】本考案の実施形態の一つに係るＰＴＰシートに付されるバーコードの模式図。
【図３】本考案の実施形態の一つに係るＰＴＰシートの模式的背面図。
【図４】本考案の実施形態の一つに係るＰＴＰシートの模式的背面図。
【図５】本考案の実施形態の一つに係るＰＴＰシートの模式的背面図。
【図６】本考案の実施形態の一つに係るＰＴＰシートの模式的背面図。
【図７】本考案の実施形態の一つに係るＰＴＰシートの模式的背面図。
【図８】本考案の実施形態の一つに係るＰＴＰシートの模式的背面図。
【考案を実施するための形態】
【０００７】
以下、本考案の各実施形態について、図面などを参照しつつ説明する。図面は、説明をより明確にするため、実際の態様に比べて各部の幅、厚さ、形状などについて模式的に表される場合があるが、あくまで一例であって、本考案の解釈を限定するものではない。
【０００８】
＜第１実施形態＞
１．ＰＴＰシートの全体構造
本考案の実施形態の一つであるＰＴＰシート１００の模式的上面図と背面図を図１（Ａ）と図１（Ｂ）にそれぞれ示す。これらの図に示されるように、ＰＴＰシート１００は錠剤やカプセル剤などの複数の製剤１４０を個別に包装するための部材である。ＰＴＰシート１００は、複数の製剤１４０がｎ行２列以上のマトリクス状に配置した状態で個々の製剤１４０を密閉保存するように構成される。ここで、ｎは１よりも大きい自然数からの一つであり、各ＰＴＰシート１００では、１よりも大きい一つの自然数がｎとして固定される。列の数は２またはそれ以上の自然数から選択される。以下、列の数が２のＰＴＰシート１００について説明する。図１（Ａ）と図１（Ｂ）に示された例では、５行２列（すなわち、ｎ＝５）に配列した製剤１４０を収容するＰＴＰシート１００が示されている。
【０００９】
より具体的には、ＰＴＰシート１００は基材シート１２０および基材シート１２０上のカバーシート１１０を基本的な構成として備え、これらは互いに貼り合わされる。カバーシート１１０は、製剤１４０をそれぞれ一つ収容するように構成される凹部１１６を複数（２ｎ）有し、製剤１４０は、この凹部１１６に収容された状態で基材シート１２０によって密閉される。カバーシート１１０はポリ塩化ビニルやポリプロピレンなどの高分子材料を含み、可視光の少なくとも一部が透過可能なように構成される。これにより、カバーシート１１０を通して製剤１４０を目視することができる。一方、基材シート１２０はアルミ箔などの金属薄膜、ポリエチレンなどの樹脂、または紙と樹脂もしくは金属薄膜の積層体を含み、カバーシート１１０を介して製剤１４０に圧力を加えることで容易に破断する程度の厚さで形成される。製剤１４０は、破断した基材シート１２０を介して取り出される。
【００１０】
図１（Ａ）の二点鎖線で表されるように、カバーシート１１０には、行ごとにＰＴＰシート１００を容易に分割できるよう、第１から第（ｎ−１）のスリット１１２がこの順で設けられる。各スリット１１２は、隣接する行に配置される製剤１４０に挟まれるように設けられ、行方向に平行な方向に延伸する。スリット１１２は行ごとにカバーシート１１０を分離しているため、スリット１１２を用いて基材シート１２０を同時に分割することにより、ＰＴＰシート１００を行ごとに分割することができる。その結果、ＰＴＰシート１００を二つの製剤１４０を収容するｎ個のサブパッケージ１０２に分割することができる。図１（Ａ）に示す例では、４本のスリット１１２によって五つのサブパッケージ１０２へＰＴＰシート１００を分割することができる。
【００１１】
任意の構成として、カバーシート１１０はさらに付加スリット１１４を有していてもよい（図１（Ａ参照）。付加スリット１１４は、第ｎ行に配置される製剤１４０が付加スリット１１４と第（ｎ−１）のスリット１１２−（ｎ−１）の間に配置されるように設けられる。付加スリット１１４を設けることで、付加スリット１１４の製剤１４０とは反対側の領域１０６を分離することができる。このため、ＰＴＰシート１００の長さ（列方向の長さ）が隣接するスリット１１２間の距離（すなわち各サブパッケージ１０２の幅（列方向の長さ））のｎ倍でない場合でも、付加スリット１１４の位置を調整することにより、ＰＴＰシート１００を同一の幅を有するｎ個のサブパッケージ１０２に分離することができる。なお、各スリット１１２と付加スリット１１４に替えてミシン目を設けてもよく、あるいは溝を設けてもよい。ミシン目や溝はカバーシート１１０を完全に分離しないものの、ミシン目や溝に沿ってカバーシート１１０と基材シート１２０を容易に分断することが可能である。また、図示しないが、基材シート１２０にもスリット１１２や付加スリット１１４と重なるミシン目または溝を設けてもよい。
【００１２】
２．バーコード
ＰＴＰシート１００の裏面、すなわち基材シート１２０のカバーシート１１０と反対側の表面には、それぞれ製剤１４０に関する情報を含む第１から第（ｎ＋１）のバーコード１３０が付される（図１（Ｂ））。図２にバーコード１３０の模式図を示す。バーコード１３０の規格に制約はないが、例えば日本工業規格Ｘ０５０９に規定するＧＳ１バーコードや日本工業規格Ｘ０５０４に規定するバーコード１２８などが挙げられる。ＧＳ１バーコードの場合、ＧＳ１データバー限定型のバーコードでもよく、ＧＳ１バーコードには合成シンボルが複合化されていてもよい。また、バーコード１３０には数字が添付されていてもよい。
【００１３】
図２に例示するバーコード１３０は、ＧＳ１データバー限定型のバーコードである。バーコード１３０は、同一の長さＨを有し、幅が異なる複数のバー、および隣接するバーの間の空白から構成される。長さＨは、２．５ｍｍ以上とすればよい。各バーコード１３０には、複数のバーと空白によって複数の数字が情報として固定され、複数の数字によって商品コードや国コード、製造者コードなどの製剤１４０に関する情報が表現される。これらの複数の数字の順番、すなわち、各バーコード１３０における情報配列方向は一意的に決められ、例えば図２に示す例では、左から右へ情報が配列される（白抜き矢印参照）。したがって、図２に示すバーコード１３０を左右反転させると、情報配列方向は右から左への方向となる。
【００１４】
バーコード１３０をスキャナで確実・安全に読み取るためには、各バーコード１３０の左右にマージン（以下、ガードパターン）を設けることが好ましい。例えばＧＳ１データバー限定型のバーコードでは、情報配列方向の上流側（図２においてはバーコード１３０の左側）と下流側（図２においてはバーコード１３０の右側）にそれぞれガードパターン１３２、１３４を設けることが好ましい。ガードパターン１３２、１３４の幅Ｗm1、Ｗm2は、それぞれ０．２５ｍｍ、１．２５ｍｍ以上であることが好ましい。以下の説明では、バーコード１３０は複数のバーと隣接するバーの間の空白を意味し、その長さＬは、両末端のバーの外側の辺（ガードパターン１３２、１３４と接する辺）の間の距離と定義する。したがって、バーコード１３０にはガードパターン１３２、１３４は含まれない。バーコード１３０の長さＬは任意であるが、確実にバーコード１３０を読み取り、読取りエラーを防止するためには、長さＬは１８．５ｍｍ以上であることが好ましい。
【００１５】
バーコード１３０は、各製剤１４０に対応するように配置され、これにより、ＰＴＰシート１００をサブパッケージ１０２に分割した際、あるいは各サブパッケージ１０２を製剤１４０ごとに二つのパーツに分断した際にも、パーツごとにバーコード１３０を読み取ることができる。
【００１６】
図１（Ｂ）、図３（Ａ）、図３（Ｂ）を用いてバーコード１３０の配置をより具体的に説明する。図３（Ａ）は基材シート１２０の模式的な拡大図であり、スリット１１２によって区切られた三つのサブパッケージ１０２が示されている。ここでは、全てのバーコード１３０の情報配列方向は同一である。すなわち、隣接する第ｍのバーコード１３０−ｍと第（ｍ＋１）のバーコード１３０−（ｍ＋１）の情報配列方向は互いに同一である。ここで、ｍは１以上であり（ｎ＋１）よりも小さい自然数から選択される変数である。これらの図では、各バーコード１３０の左側と右側がそれぞれガードパターン１３２と１３４に対応するようにバーコード１３０が配置されている。
【００１７】
これらの図に示すように、第１から第（ｎ＋１）のバーコード１３０は、千鳥配列するように、この順で基材シート１２０に付される。各バーコード１３０は、その長さ方向（行方向であり、各バーが延伸する方向に対して垂直な方向）がスリット１１２と平行になるように設けられる。列方向において、奇数番目のバーコード１３０は互いに重なり、偶数番目のバーコード１３０と重ならない。同様に、列方向において、偶数番目のバーコード１３０は互いに重なり、奇数番目のバーコード１３０と重ならない。さらに、各バーコード１３０は、他のバーコード１３０のいずれもとも行方向において重ならない。換言すると、隣接する第ｍのバーコード１３０−ｍと第（ｍ＋１）のバーコード１３０−（ｍ＋１）は、行方向と列方向のいずれにおいても互いに重ならない。なお、複数のバーコード１３０がある方向において重なるとは、当該方向に延伸する仮想の直線が同時に複数のバーコード１３０と交差することを意味する。一方、複数のバーコード１３０がある方向において重ならないとは、当該方向に延伸し、かつ、同時に複数のバーコード１３０と交差する仮想の直線が存在しないということを意味する。
【００１８】
第２から第ｎのバーコード１３０は、それぞれ第１から第（ｎ−１）のスリット１１２と重なるように設けられる。なお、バーコード１３０がスリット１１２と重なるとは、バーコード１３０のバーとスリット１１２が交差することを意味するが、バーコード１３０のバーとスリット１１２が交差しないよう、バーコード１３０のバーとスリット１１２が交差する位置でバーコード１３０のバーが分断された態様も含む。第２から第ｎのバーコード１３０の各々は、重畳するスリット１１２によってバーの長さＨが二等分されるように設けられる。一方、第１のバーコード１３０−１と第（ｎ＋１）のバーコード１３０−（ｎ＋１）は、いずれのスリット１１２と重ならない。第１のバーコード１３０−１は、第１のスリット１１２−１と基材シート１２０の底辺（第１のスリット１１２−１に平行であり、第１のスリット１１２−１に最も近い辺）の間に設けられ、第（ｎ＋１）のバーコード１３０−（ｎ＋１）は、第（ｎ−１）のスリットと基材シート１２０の上辺（底辺に対向する辺）の間に配置される。第２から第ｎのバーコード１３０のバーの長さＨは、第１のバーコード１３０−１または第（ｎ＋１）のバーコード１３０−（ｎ＋１）のバーの長さＨの２倍または２倍以上とすることができる。例えば、第１のバーコード１３０−１または第（ｎ＋１）のバーコード１３０−（ｎ＋１）のバーの長さＨが２．５ｍｍであれば、第２から第ｎのバーコード１３０のバーの長さＨは６ｍｍまたはそれ以上であってもよい。なお、バーコード１３０のバーとスリット１１２が交差しないよう、バーコード１３０のバーとスリット１１２が交差する位置でバーコード１３０のバーが分断される場合、分断された一連のバーによって一つのバーコード１３０が構成され、上下に分断されたバーの長さＨは、それぞれ２．５ｍｍまたはそれ以上であればよい。
【００１９】
隣接する二つのバーコード（第ｍのバーコード１３０−ｍと第（ｍ＋１）のバーコード１３０−（ｍ＋１））の配列を図３（Ａ）と図４に模式的に示す。これらの図に示すように、隣接する二つのバーコード１３０では、列方向において、ガードパターン１３２と１３４が互いに、あるいはガードパターン１３２と１３４がバーコード１３０と重なるようにバーコード１３０が配置される。例えば図３（Ａ）に示すように、第ｍのバーコード１３０−ｍのガードパターン１３２と第（ｍ＋１）のバーコード１３０−（ｍ＋１）のガードパターン１３４は、列方向において重なることができる。図示しないが、第ｍのバーコード１３０−ｍのガードパターン１３４と第（ｍ＋１）のバーコード１３０−（ｍ＋１）のガードパターン１３２が列方向において重なってもよい。
【００２０】
あるいは図４に示すように、列方向において、第ｍのバーコード１３０−ｍのガードパターン１３２と第（ｍ＋１）のバーコード１３０−（ｍ＋１）が互いに重なり、第（ｍ＋１）のバーコード１３０−（ｍ＋１）のガードパターン１３４と第ｍ＋１のバーコード１３０−ｍが互いに重なることができる。図示しないが、第ｍのバーコード１３０−ｍのガードパターン１３４と第（ｍ＋１）のバーコード１３０−（ｍ＋１）が互いに重なり、第（ｍ＋１）のバーコード１３０−（ｍ＋１）のガードパターン１３２と第ｍ＋１のバーコード１３０−ｍが互いに重なってもよい。これらの場合には、ガードパターン１３２と１３４は互いに重ならなくてもよい。
【００２１】
上述したように、第ｍのバーコード１３０−ｍと第（ｍ＋１）のバーコード１３０−（ｍ＋１）は互いに行方向において重ならない。このため、上述した配置を採用することで、隣接するバーコード１３０の間の距離Ｄを小さくすることができる。具体的には、距離Ｄを０ｍｍ以上であり、かつガードパターン１３２と１３４の幅Ｗm1とＷm2の和未満（１．５ｍｍ未満）とすることができる。例えば、距離Ｄを０ｍｍ以上１．２５ｍｍ未満とすることもできる。ここで、距離Ｄとは、第ｍのバーコード１３０−ｍの末端バーのうち第（ｍ＋１）のバーコード１３０−（ｍ＋１）に最も近い末端バー（図３（Ｂ）における１３０t1）から第（ｍ＋１）のバーコード１３０−（ｍ＋１）の末端バーのうち第ｍのバーコード１３０−ｍに最も近い末端バー（図３（Ｂ）における１３０t2）までの、行方向における距離である。
【００２２】
距離Ｄが０ｍｍとなるのは、図４に示すように、第ｍのバーコード１３０−ｍのガードパターン１３２と第（ｍ＋１）のバーコード１３０−（ｍ＋１）のガードパターン１３４が互いに重ならず、かつ、前者が第（ｍ＋１）のバーコード１３０−（ｍ＋１）と重なり、後者が第ｍのバーコード１３０−ｍと重なる場合である。あるいは、図示しないが、第ｍのバーコード１３０−ｍのガードパターン１３４と第（ｍ＋１）のバーコード１３０−（ｍ＋１）のガードパターン１３２が互いに重ならず、かつ、前者が第（ｍ＋１）のバーコード１３０−（ｍ＋１）と重なり、後者が第ｍのバーコード１３０−ｍと重なる場合である。これらの場合には、第ｍのバーコード１３０−ｍの末端バー１３０t1の第（ｍ＋１）のバーコード１３０−（ｍ＋１）側の辺、および第（ｍ＋１）のバーコード１３０−（ｍ＋１）の末端バー１３０t2の第ｍのバーコード１３０−ｍ側の辺は、いずれも列方向に平行な仮想直線１２２上に配置される。
【００２３】
一方、距離ＤがＷm1とＷm2の和となるのは、第ｍのバーコード１３０−ｍのガードパターン１３２または１３４の第（ｍ＋１）のバーコード１３０−（ｍ＋１）側の端部が、行方向において、それぞれ第（ｍ＋１）のバーコード１３０−（ｍ＋１）のガードパターン１３４または１３２の第ｍのバーコード１３０−ｍ側の端部と重なる時である。
【００２４】
上述したように、このようにバーコード１３０を配置することにより、隣接するバーコード１３０の間の距離Ｄを小さくすることができ、その結果、幅Ｗ（行方向における長さ、図３（Ａ）参照）の小さいＰＴＰシート１００を製造することができるのみならず、製剤１４０ごとにＰＴＰシート１００を分割しても、バーコード１３０によって製剤１４０に関する情報を確実に読み取ることが可能となる。この理由は以下の通りである。ＰＴＰシート１００には、バーコード１３０を付す際の位置ずれ、あるいはＰＴＰシート１００を個々に切り出す際の位置ずれを考慮し、左右の辺（列方向に平行な辺）側にマージン１０４が設けられる。このため、距離Ｄが０ｍｍの場合には、ＰＴＰシート１００の幅Ｗは、両マージン１０４の幅Ｌm3の和、第ｍのバーコード１３０−ｍと第（ｍ＋１）のバーコード１３０−（ｍ＋１）のガードパターン１３２と１３４の幅Ｗm1とＷm2の和、および第ｍのバーコード１３０−ｍと第（ｍ＋１）のバーコード１３０−（ｍ＋１）の長さＬの和の総和となる。例えばマージン１０４の幅Ｌm3を１．５ｍｍ、バーコード１３０の長さＬを１８．５ｍｍ、ガードパターン１３２と１３４の幅Ｗm1、Ｗm2をそれぞれ０．２５ｍｍ、１．２５ｍｍとすると、以下の式で説明されるように、ＰＴＰシート１００の幅Ｗを４１．５ｍｍまで低減することができる。なお、マージン１０４の幅Ｌm3やガードパターン１３２と１３４の幅Ｗm1、Ｗm2をさらに小さくすることで、ＰＴＰシート１００の幅Ｗを４１．５ｍｍ以下にすることも可能である。
Ｗ＝１．５×２＋２Ｌ＋Ｗm1＋Ｗm2［ｍｍ］
＝１．５×２＋２×１８．５＋０．２５＋１．２５［ｍｍ］
＝４１．５［ｍｍ］
【００２５】
さらに、バーコード１３０の情報配列方向を互い違いにした場合、すなわち、第ｍのバーコード１３０−ｍと第（ｍ＋１）のバーコード１３０−（ｍ＋１）の情報配列方向が互いに逆となるようにバーコード１３０を配置した場合には、幅Ｗをさらに低減することができる。特に、より広い幅Ｗm2を有するガードパターン１３４が隣接するバーコード１３０またはそのガードパターン１３４と列方向に重なるように配置することで、この効果が顕著になる。
【００２６】
具体的には、図５（Ａ）に示すように、第ｍのバーコード１３０−ｍのガードパターン１３４と第（ｍ＋１）のバーコード１３０−（ｍ＋１）のガードパターン１３４は、列方向において重なることができる。図示しないが、第ｍのバーコード１３０−ｍのガードパターン１３２と第（ｍ＋１）のバーコード１３０−（ｍ＋１）のガードパターン１３２が列方向において重なってもよい。
【００２７】
あるいは図５（Ｂ）に示すように、列方向において、第ｍのバーコード１３０−ｍのガードパターン１３４と第（ｍ＋１）のバーコード１３０−（ｍ＋１）が互いに重なり、第（ｍ＋１）のバーコード１３０−（ｍ＋１）のガードパターン１３４と第ｍのバーコード１３０−ｍが互いに重なるようにバーコード１３０を配置することができる。図示しないが、第ｍのバーコード１３０−ｍのガードパターン１３２と第（ｍ＋１）のバーコード１３０−（ｍ＋１）が互いに重なり、第（ｍ＋１）のバーコード１３０−（ｍ＋１）のガードパターン１３２と第ｍのバーコード１３０−ｍが互いに重なってもよい。
【００２８】
このような配置では、隣接するバーコード１３０の間の距離Ｄは、０ｍｍ以上であり、かつ、Ｗm2の２倍未満（２．５ｍｍ未満）とすることができる。例えば、距離Ｄを０ｍｍ以上１．２５ｍｍ未満とすることもできる。距離Ｄが０ｍｍとなるのは、図５（Ｂ）に示すように、第ｍのバーコード１３０−ｍのガードパターン１３４（または１３２）と第（ｍ＋１）のバーコード１３０−（ｍ＋１）のガードパターン１３４（または１３２）が互いに重ならず、かつ、前者が第（ｍ＋１）のバーコード１３０−（ｍ＋１）と重なり、後者が第ｍのバーコード１３０−ｍと重なる場合である。この場合には、第ｍのバーコード１３０−ｍの第（ｍ＋１）のバーコード１３０−（ｍ＋１）側の末端バー１３０t3の第（ｍ＋１）のバーコード１３０−（ｍ＋１）側の辺、および第（ｍ＋１）のバーコード１３０−（ｍ＋１）の第ｍのバーコード１３０−ｍ側の末端バー１３０t4の第ｍのバーコード１３０−ｍ側の辺は、いずれも列方向に平行な仮想直線１２２上に配置される。一方、距離ＤがＷm2の２倍となるのは、第ｍのバーコード１３０−ｍのガードパターン１３４の第（ｍ＋１）のバーコード１３０−（ｍ＋１）側の端部が、行方向において、第（ｍ＋１）のバーコード１３０−（ｍ＋１）のガードパターン１３４の第ｍのバーコード１３０−ｍ側の端部と重なる時である。
【００２９】
バーコード１３０の情報配列方向を互い違いにした場合、隣接するバーコード１３０の行方向における距離Ｄの範囲は、全てのバーコード１３０の情報配列方向が同一の場合と比較して広いものの、この配置の採用により、より幅Ｗが小さいＰＴＰシート１００を提供することができる。例えば、隣接するバーコード１３０間でガードパターン１３４がバーコード１３０と重なるように配置した場合（図５（Ｂ））では、距離Ｄが０の時には、ＰＴＰシート１００の幅Ｗは、両マージン１０４の幅Ｌm3の和、第ｍのバーコード１３０−ｍと第（ｍ＋１）のバーコード１３０−（ｍ＋１）のガードパターン１３２の幅Ｗm1の和、および第ｍのバーコード１３０−ｍと第（ｍ＋１）のバーコード１３０−（ｍ＋１）の長さＬの和の総和となる。マージン１０４の幅Ｌm3を１．５ｍｍ、ガードパターン１３２の幅Ｗm1を０．２５ｍｍ、バーコード１３０の長さＬを１８．５ｍｍとすると、以下の式で説明されるように、ＰＴＰシート１００の幅Ｗを４０．５ｍｍまで低減することができる。
Ｗ＝１．５×２＋２Ｌ＋２Ｗm1［ｍｍ］
＝１．５×２＋２×１８．５＋２×０．２５［ｍｍ］
＝４０．５［ｍｍ］
【００３０】
このような構成を採用しても、ＰＴＰシート１００をサブパッケージ１０２に分割するか否かに関わらず、各バーコード１３０にはガードパターン１３２、１３４が確保されているため、バーコード１３０を確実に読み取ることができる。また、上記仮想直線１２２に沿って、あるいは第ｍのバーコード１３０−ｍのガードパターン１３４（または１３２）と第（ｍ＋１）のバーコード１３０−（ｍ＋１）のガードパターン１３４（または１３２）を通過する列方向に平行な直線に沿ってサブパッケージ１０２を分割しても、各バーコード１３０には少なくとも一方のガードパターン１３２または１３４が確保される。したがって、基材シート１２０とコントラスト差が極端に大きくない背景を利用することで、基材シート１２０が個々の製剤１４０に分断された後でもバーコード１３０を読み取ることが可能である。
【００３１】
これに対し、バーコード１３０を千鳥配列にせず、二つのバーコード１３０が行方向において重なるように配置し、かつ、基材シート１２０を個々の製剤１４０に分断した後も両バーコード１３０のそれぞれにガードパターン１３２と１３４を確保するためには、ＰＴＰシート１００の幅Ｗは、両マージン１０４の幅Ｌm3の和、第ｍのバーコード１３０−ｍと第（ｍ＋１）のバーコード１３０−（ｍ＋１）のガードパターン１３２の幅Ｗm1と１３４の幅Ｗm2の和、および第ｍのバーコード１３０−ｍと第（ｍ＋１）のバーコード１３０−（ｍ＋１）の長さＬの和の総和となる。マージン１０４の幅が１．５ｍｍ、ガードパターン１３２の幅Ｗm1と１３４の幅Ｗm2をそれぞれ０．２５ｍｍ、１．２５ｍｍ、バーコード１３０の長さを１８．５ｍｍとすると、以下の式で説明されるように、４３．０ｍｍの幅Ｗが必要となる。
Ｗ＝１．５×２＋２Ｌ＋２Ｗm1＋２Ｗm1［ｍｍ］
＝１．５×２＋２×１８．５＋２×０．２５＋２×１．２５［ｍｍ］
＝４３．０［ｍｍ］
【００３２】
製剤の管理とトレーサビリティの向上のためには、製剤が収容されたＰＴＰシートが製剤ごとに一つずつ切り離された場合であっても、製剤のそれぞれにバーコードが一つ配置されていることが求められている。また、近年、携帯性の点から、より小さいサイズのＰＴＰシートが医療現場では好まれる傾向にある。小さいサイズのＰＴＰシートにおいて各製剤にバーコードを一つ配置するためには、バーコードのサイズも小さくする方法が考えられるが、バーコードのサイズが小さいと読み取り不良などの問題が生じるため、バーコードのサイズを変えることは望ましくない。
【００３３】
しかしながら、本考案に係る実施形態を適用することにより、複数の製剤１４０を幅Ｗの小さいＰＴＰシート１００に包装することが可能となるだけでなく、ＰＴＰシート１００を分割する前、ＰＴＰシート１００を個々のサブパッケージ１０２に分割した後、および各サブパッケージ１０２を製剤１４０ごとに二つのパーツに分断した後でも、確実にバーコード１３０を読み取ることができる。このことは、製剤１４０の管理を容易にするだけでなく、高いトレーサビリティを確保することに寄与する。
【００３４】
＜第２実施形態＞
本実施形態では、第１実施形態で述べた配置と異なる配置でバーコード１３０が付されたＰＴＰシート１００について説明する。第１実施形態で述べた構成や特徴と同一または類似する構成や特徴については説明を割愛することがある。
【００３５】
図６に本実施形態に係るＰＴＰシート１００の模式的背面図を示す。図６に示されるように、ＰＴＰシート１００には第１から第２ｎのバーコード１３０が千鳥配列するように、この順で基材シート１２０に付される。バーコード１３０は、各サブパッケージ１０２に二つのバーコード１３０の全体が含まれるように付され、いずれのバーコード１３０もスリット１１２と重ならない。奇数番目のバーコード１３０は、互いに列方向で重なり、偶数番目のバーコード１３０と重ならない。同様に、偶数番目のバーコード１３０は、互いに列方向で重なり、奇数番目のバーコード１３０と重ならない。また、偶数番目のバーコード１３０と奇数番目のバーコード１３０は、行方向と列方向のいずれにおいても重ならない。さらに、各バーコード１３０は、他のバーコード１３０のいずれもとも行方向において重ならない。換言すると、第ｍのバーコード１３０−ｍと第（ｍ＋１）のバーコード１３０−（ｍ＋１）は、列方向においても行方向においても互いに重ならない。ここで、ｎは１よりも大きい自然数の一つであり、各ＰＴＰシート１００では、１よりも大きい一つの自然数がｎとして固定される。図６に示す例では、ｎは５である。ｍは１以上２ｎよりも小さい自然数から選択される変数である。
【００３６】
本実施形態に係るＰＴＰシート１００においても、バーコード１３０は各製剤１４０に対応するように設けられる。このため、ＰＴＰシート１００をサブパッケージ１０２に分割した際、あるいは各サブパッケージ１０２を製剤１４０ごとに二つのパーツに分断した際にも、製剤１４０ごとにバーコード１３０を読み取ることができる。
【００３７】
図６に示すように、第１と第２のバーコード１３０は、基材シート１２０の底辺と第１のスリット１１２−１の間に付され、第（２ｎ−１）と第２ｎのバーコード１３０は、基材シート１２０の上辺と第（ｎ−１）のスリット１１２（ｎ−１）の間に付される。それ以外のバーコード１３０に関しては、一対のバーコード１３０が隣接するスリット１１２の間に挟まれる。全てのバーコード１３０の間で、バーの長さＨは同一でもよい。
【００３８】
図７（Ａ）と図７（Ｂ）を用いてバーコード１３０の配置をより具体的に説明する。図７（Ａ）と図７（Ｂ）は基材シート１２０の模式的な拡大図であり、一つのサブパッケージ１０２が示されている。ここでは、全てのバーコード１３０の情報配列方向は同一である。すなわち、隣接する第ｍのバーコード１３０−ｍと第（ｍ＋１）のバーコード１３０−（ｍ＋１）の情報配列方向は互いに同一である。
【００３９】
第１実施形態と同様、隣接する二つのバーコード１３０では、列方向において、ガードパターン１３２と１３４が互いに、あるいはガードパターン１３２と１３４がバーコード１３０と重なるようにバーコード１３０が配置される。例えば図７（Ａ）に示す例では、第ｍのバーコード１３０−ｍのガードパターン１３４が第（ｍ＋１）のバーコード１３０−（ｍ＋１）のガードパターン１３２と重なる。図示しないが、第ｍのバーコード１３０−ｍのガードパターン１３２が第（ｍ＋１）のバーコード１３０−（ｍ＋１）のガードパターン１３４と重なってもよい。さらに図７（Ｂ）に示される例では、第ｍのバーコード１３０−ｍのガードパターン１３４が第（ｍ＋１）のバーコード１３０−（ｍ＋１）と重なり、第（ｍ＋１）のバーコード１３０−（ｍ＋１）のガードパターン１３２が第ｍのバーコード１３０−ｍと重なる。図示しないが、第ｍのバーコード１３０−ｍのガードパターン１３２が第（ｍ＋１）のバーコード１３０−（ｍ＋１）と重なり、第（ｍ＋１）のバーコード１３０−（ｍ＋１）のガードパターン１３４が第ｍのバーコード１３０−ｍと重なってもよい。
【００４０】
上述したように、隣接するバーコード１３０は列方向において互いに重ならない。このため、隣接するバーコード１３０の間の距離Ｄは、０ｍｍ以上であり、かつ、Ｗm1とＷm2の和未満（１．５ｍｍ未満）とすることができる。例えば、距離Ｄを０ｍｍ以上１．２５ｍｍ未満とすることもできる。距離Ｄが０ｍｍとなるのは、図７（Ｂ）に示すように、第ｍのバーコード１３０−ｍのガードパターン１３４（または１３２）と第（ｍ＋１）のバーコード１３０−（ｍ＋１）のガードパターン１３２（または１３４）が互いに重ならず、かつ、前者が第（ｍ＋１）のバーコード１３０−（ｍ＋１）と重なり、後者が第ｍのバーコード１３０−ｍと重なる場合である。この場合には、第ｍのバーコード１３０−ｍの末端バー１３０t5の第（ｍ＋１）のバーコード１３０−（ｍ＋１）側の辺、および第（ｍ＋１）のバーコード１３０−（ｍ＋１）の末端バー１３０t6の第ｍのバーコード１３０−ｍ側の辺は、いずれも列方向に平行な仮想直線１２２上に配置される。一方、距離ＤがＷm1とＷm2の和となるのは、第ｍのバーコード１３０−ｍのガードパターン１３４（または１３２）の第（ｍ＋１）のバーコード１３０−（ｍ＋１）側の端部が、行方向において、第（ｍ＋１）のバーコード１３０−（ｍ＋１）のガードパターン１３２（または１３４）の第ｍのバーコード１３０−ｍ側の端部と重なる時である。
【００４１】
第１実施形態と同様、このようにバーコード１３０を配置することにより、隣接するバーコード１３０の間の距離Ｄを小さくすることができ、その結果、幅Ｗの小さいＰＴＰシート１００を製造することができるのみならず、製剤１４０ごとにＰＴＰシート１００を分割しても、バーコード１３０によって製剤１４０に関する情報を確実に読み取ることが可能となる。例えば、距離Ｄが０ｍｍの場合（図７（Ｂ））には、ＰＴＰシート１００の幅Ｗは、両マージン１０４の幅Ｌm3の和、ガードパターン１３２と１３４の幅Ｗm1とＷm2の和、および隣接するバーコード１３０の長さＬの和の総和となる。マージン１０４の幅Ｌm3を１．５ｍｍ、ガードパターン１３２と１３４の幅Ｗm1とＷm2をそれぞれ０．２５ｍｍ、１．２５ｍｍ、バーコード１３０の長さＬを１８．５ｍｍとすると、第１実施形態と同様、ＰＴＰシート１００の幅Ｗを４１．５ｍｍまで低減することができる。
【００４２】
さらに、バーコード１３０の情報配列方向を交互にした場合、すなわち、図８（Ａ）や図８（Ｂ）に示すように、第ｍのバーコード１３０−ｍと第（ｍ＋１）のバーコード１３０−（ｍ＋１）の情報配列方向が互いに逆になるようにバーコード１３０を配置した場合には、さらに幅Ｗを低減することができる。特に、より広い幅Ｗm2を有するガードパターン１３４が隣接するバーコード１３０またはそのガードパターン１３４と列方向に重なるように配置することで、この効果が顕著になる。
【００４３】
具体的には、図８（Ａ）に示すように、第ｍのバーコード１３０−ｍのガードパターン１３４と第（ｍ＋１）のバーコード１３０−（ｍ＋１）のガードパターン１３４は、列方向において重なることができる。図示しないが、第ｍのバーコード１３０−ｍのガードパターン１３２と第（ｍ＋１）のバーコード１３０−（ｍ＋１）のガードパターン１３２が列方向において重なってもよい。
【００４４】
あるいは図８（Ｂ）に示すように、列方向において、第ｍのバーコード１３０−ｍのガードパターン１３４と第（ｍ＋１）のバーコード１３０−（ｍ＋１）が互いに重なり、第（ｍ＋１）のバーコード１３０−（ｍ＋１）のガードパターン１３４と第ｍのバーコード１３０−ｍが互いに重なることができる。同様に、図示しないが、第ｍのバーコード１３０−ｍのガードパターン１３２と第（ｍ＋１）のバーコード１３０−（ｍ＋１）が互いに重なり、第（ｍ＋１）のバーコード１３０−（ｍ＋１）のガードパターン１３２と第ｍのバーコード１３０−ｍが互いに重なってもよい。
【００４５】
このような配置では、隣接するバーコード１３０の間の距離Ｄは、０ｍｍ以上であり、かつ、Ｗm2の２倍未満（２．５ｍｍ未満）とすることができる。例えば、距離Ｄを０ｍｍ以上１．２５ｍｍ未満とすることもできる。距離Ｄが０ｍｍとなるのは、図８（Ｂ）に示すように、第ｍのバーコード１３０−ｍのガードパターン１３４（または１３２）と第（ｍ＋１）のバーコード１３０−（ｍ＋１）のガードパターン１３４（または１３２）が互いに重ならず、かつ、前者が第（ｍ＋１）のバーコード１３０−（ｍ＋１）と重なり、後者が第ｍのバーコード１３０−ｍと重なる場合である。この場合には、第ｍのバーコード１３０−ｍの第（ｍ＋１）のバーコード１３０−（ｍ＋１）側の末端バー１３０t7の第（ｍ＋１）のバーコード１３０−（ｍ＋１）側の辺、および第（ｍ＋１）のバーコード１３０−（ｍ＋１）の第ｍのバーコード１３０−ｍ側の末端バー１３０t8の第ｍのバーコード１３０−ｍ側の辺は、いずれも列方向に平行な仮想直線１２２上に配置される。一方、距離ＤがＷm2の２倍となるのは、第ｍのバーコード１３０−ｍのガードパターン１３４の第（ｍ＋１）のバーコード１３０−（ｍ＋１）側の端部が、行方向において、第（ｍ＋１）のバーコード１３０−（ｍ＋１）のガードパターン１３４の第ｍのバーコード１３０−ｍ側の端部と重なる時である。
【００４６】
バーコード１３０の情報配列方向を互い違いにした場合、隣接するバーコード１３０の行方向における距離Ｄの範囲は、全てのバーコード１３０の情報配列方向が同一の場合と比較して広いものの、この配置の採用により、より幅Ｗが小さいＰＴＰシート１００を提供することができる。例えば、隣接するバーコード１３０間でガードパターン１３４がバーコード１３０と重なるように配置した場合では、距離Ｄが０の時には、ＰＴＰシート１００の幅Ｗは、両マージン１０４の幅Ｌm3の和、第ｍのバーコード１３０−ｍと第（ｍ＋１）のバーコード１３０−（ｍ＋１）のガードパターン１３２の幅Ｗm1の和、および第ｍのバーコード１３０−ｍと第（ｍ＋１）のバーコード１３０−（ｍ＋１）の長さＬの和の総和となる。マージン１０４の幅Ｌm3を１．５ｍｍ、ガードパターン１３２の幅Ｗm1を０．２５ｍｍ、バーコード１３０の長さＬを１８．５ｍｍとすると、ＰＴＰシート１００の幅Ｗを４０．５ｍｍまで低減することができる。
【００４７】
このような構成を採用しても、ＰＴＰシート１００をサブパッケージ１０２に分割するか否かに関わらず、各バーコード１３０にはガードパターン１３２、１３４が確保されるため、バーコード１３０を確実に読み取ることができる。また、上記仮想直線１２２に沿って、あるいは第ｍのバーコード１３０−ｍのガードパターン１３２（または１３４）と第（ｍ＋１）のバーコード１３０−（ｍ＋１）のガードパターン１３２（または１３４）を通過する列方向に平行な直線に沿ってＰＴＰシート１００またはサブパッケージ１０２を分割しても、各バーコード１３０には少なくとも一方のガードパターン１３２または１３４が確保される。したがって、基材シート１２０とコントラスト差が極端に大きくない背景を利用することで、基材シート１２０が個々の製剤１４０に分断された後でもバーコード１３０を読み取ることが可能である。
【００４８】
本考案は、その要旨を逸脱しない範囲において様々な態様で実施することができ、実施形態の記載内容に限定して解釈されるものではない。また、上述した実施形態を基にして、当業者が適宜構成要素の追加、削除もしくは設計変更を行ったものも、本考案の要旨を備えている限り、本考案の範囲に含まれる。さらに各実施形態は、相互に矛盾しない限りにおいて、適宜組み合わせて実施することができる。これらの実施形態によりもたらされる作用効果とは異なる他の作用効果であっても、本明細書の記載から明らかなもの、または、当業者において容易に予測し得るものについては、当然に本考案によりもたらされるものと理解される。
【符号の説明】
【００４９】
１００：ＰＴＰシート、１０２：サブパッケージ、１０４：マージン、１０６：領域、１１０：カバーシート、１１２：スリット、１１４：付加スリット、１１６：凹部、１２０：基材シート、１２２：仮想直線、１３０：バーコード、１３２：ガードパターン、１３４：ガードパターン、１４０：製剤
【図１】
0003229831.tif 000003
【図２】
0003229831.tif 000004
【図３】
0003229831.tif 000005
【図４】
0003229831.tif 000006
【図５】
0003229831.tif 000007
【図６】
0003229831.tif 000008
【図７】
0003229831.tif 000009
【図８】
0003229831.tif 000010